【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
患者に吸入ガスを供給するための鼻カニューレであって、前記鼻カニューレは、
それぞれが一端に吸入ガスを放出するための放出口を備えたヘッド部を有する１組の供給ラインであって、１組の供給ラインのそれぞれの他端が吸入ガス源に接続可能である、１組の供給ラインを備え、
各ヘッド部は、患者の内側を向いている鼻腔の皮膚の一部分と前記ヘッド部の外表面の一部分との間に十分な漏出流路を形成し、該漏出経路を介して、患者に供給された過剰な吸入ガスの排出を促進し、かつ患者に供給される吸入ガス以上に必要とされる大気の吸入を促進する一方で、患者の一方の鼻腔内にぴったりと受容及び保持されるような大きさになっている、
ことを特徴とする鼻カニューレ。
【請求項２】
前記ヘッド部の外表面が、過剰な吸入ガスの排出及び患者に必要とされる大気の吸入を促進するよう、複数の漏出流路を部分的に規定するために形成された複数の細長い谷部を有することを特徴とする、請求項１に記載の鼻カニューレ。
【請求項３】
前記ヘッド部の外表面が、該ヘッド部の周囲に等間隔を置いて形成された６つ乃至８つの細長い谷部を有し、該細長い谷部のそれぞれが、過剰な吸入ガスの排出及び患者に必要とされる大気の吸入を促進するための、ヘッド部における前記漏出流路のうちの１つを部分的に規定することを特徴とする、請求項２に記載の鼻カニューレ。
【請求項４】
前記複数の漏出流路のうちの１つを部分的に規定するため、前記複数の細長い谷部のそれぞれが、間隔が空いているが隣接する１組の細長い隆線に向かって、共通の細長い谷から分岐している１組の隣り合う平面状の側面によって形成されることを特徴とする、請求項２に記載の鼻カニューレ。
【請求項５】
前記漏出流路のそれぞれが、約０．００２平方インチ（０．０１３ｃｍ2）から約０．
００５５平方インチ（０．０３５ｃｍ2）の断面開口面積を有することを特徴とする、請
求項２に記載の鼻カニューレ。
【請求項６】
前記ヘッド部のそれぞれが、約０．３４５インチ（０．８８ｃｍ）から約０．７０インチ（１．８ｃｍ）の最大幅寸法及び約０．３０インチ（０．７６ｃｍ）から約０．６０インチ（１．５ｃｍ）の長さを有することを特徴とする、請求項２に記載の鼻カニューレ。
【請求項７】
前記１組の供給ラインが、実質上患者の人中の幅以下に亘る十分に短い軸長を有する中央ブリッジ部材によって、互いに結合されていることを特徴とする、請求項１に記載の鼻カニューレ。
【請求項８】
前記鼻カニューレが軟質の材料で製造されており、各供給ラインのそれぞれの第二端部が、互いに遠ざかるように屈曲して、患者の顔の湾曲とほぼ一致するように湾曲していることを特徴とする、請求項１に記載の鼻カニューレ。
【請求項９】
前記供給ラインのそれぞれの第二端部が補助吸入ガス供給ラインに連結され、前記供給ラインのそれぞれの少なくとも第二端部は、前記鼻カニューレが患者により装着されたときに、取り付けられた補助吸入ガス供給ラインに患者の頬骨部の下を通るようにさせるのに十分な剛性を有していることを特徴とする、請求項８に記載の鼻カニューレ。
【請求項１０】
前記中央ブリッジ部材が、前記１組の供給ラインを互いに平行に並べて、前記１組の供給ラインの隆線部により支持されつつ、前記ヘッド部の患者の鼻孔内への挿入を容易にす
ることを特徴とする、請求項１に記載の鼻カニューレ。
【請求項１１】
患者に吸入ガスを供給するための鼻カニューレアセンブリであって、前記鼻カニューレアセンブリは、
それぞれが一端に吸入ガスを放出する放出口を備えたヘッド部を有する１組の供給ラインであって、１組の供給ラインのそれぞれの他端が補助吸入ガス供給ラインに接続されており、該補助吸入ガス供給ラインのそれぞれの遠位端が、患者に吸入ガスを供給するための吸入ガス源に接続されている、１組の供給ラインを備え、
各ヘッド部は、患者の内側を向いている鼻腔の皮膚の一部分と前記ヘッド部の外表面の一部分との間に十分な漏出流路を形成し、該漏出経路を介して、患者に供給された過剰な吸入ガスの排出を促進し、かつ患者に供給される吸入ガス以上に必要とされる大気の吸入を促進する一方で、患者の一方の鼻腔内にぴったりと受容及び保持されるような大きさになっている、
ことを特徴とする鼻カニューレアセンブリ。
【請求項１２】
前記ヘッド部の外表面が、過剰な吸入ガスの排出及び患者に必要とされる大気の吸入を促進するよう、複数の漏出流路を部分的に規定するために形成された複数の細長い谷部を有することを特徴とする、請求項１１に記載の鼻カニューレアセンブリ。
【請求項１３】
前記ヘッド部の外表面が、該ヘッド部の周囲に等間隔を置いて形成された６つ乃至８つの細長い谷部を有し、該細長い谷部のそれぞれが、過剰な吸入ガスの排出及び患者に必要とされる大気の吸入を促進するための、ヘッド部における前記漏出流路のうちの１つを部分的に規定することを特徴とする、請求項１２に記載の鼻カニューレアセンブリ。
【請求項１４】
前記複数の漏出流路のうちの１つを部分的に規定するため、前記複数の細長い谷部のそれぞれが、間隔が空いているが隣接する１組の細長い隆線に向かって、共通の細長い谷から分岐している１組の隣り合う平面状の側面によって形成されることを特徴とする、請求項１２に記載の鼻カニューレアセンブリ。
【請求項１５】
前記漏出流路のそれぞれが、約０．００２平方インチ（０．０１３ｃｍ2）から約０．
００５５平方インチ（０．０３５ｃｍ2）の断面開口面積を有することを特徴とする、請
求項１２に記載の鼻カニューレアセンブリ。
【請求項１６】
前記ヘッド部のそれぞれが、約０．３４５インチ（０．８８ｃｍ）から約０．７０インチ（１．８ｃｍ）の最大幅寸法及び約０．３０インチ（０．７６ｃｍ）から約０．６０インチ（１．５ｃｍ）の長さを有することを特徴とする、請求項１２に記載の鼻カニューレアセンブリ。
【請求項１７】
前記１組の供給ラインが、該１組の供給ラインを互いに間隔をおいて配置するため、実質上患者の人中の幅以下に亘る十分に短い軸長を有する中央ブリッジ部材によって、互いに結合されていることを特徴とする、請求項１１に記載の鼻カニューレアセンブリ。
【請求項１８】
前記鼻カニューレが軟質の材料で製造されており、各供給ラインのそれぞれの第二端部が、互いに遠ざかるように屈曲して、患者の顔の湾曲とほぼ一致するように湾曲していることを特徴とする、請求項１１に記載の鼻カニューレアセンブリ。
【請求項１９】
前記供給ラインのそれぞれの第二端部が補助吸入ガス供給ラインに連結され、前記供給ラインのそれぞれの少なくとも第二端部は、前記鼻カニューレが患者により装着されたときに、取り付けられた補助吸入ガス供給ラインに患者の頬骨部の下を通るようにさせるのに十分な剛性を有していることを特徴とする、請求項１８に記載の鼻カニューレアセンブ
リ。
【請求項２０】
鼻カニューレを介して患者に吸入ガスを供給するための吸入療法システムであって、前記吸入療法システムは、
患者に吸入ガスを供給するための吸入ガス源と、
前記吸入ガス源に接続され、前記吸入ガスを受け取って患者の鼻孔に該吸入ガスを供給するための鼻カニューレとを備え、
前記鼻カニューレは、
それぞれが一端に吸入ガスを放出する放出口を備えたヘッド部を有する１組の供給ラインであって、１組の供給ラインのそれぞれの他端が補助吸入ガス供給ラインに接続されており、該補助吸入ガス供給ラインのそれぞれの遠位端が、患者に吸入ガスを供給するための吸入ガス源に接続されている、１組の供給ラインを備え、
各ヘッド部は、患者の内側を向いている鼻腔の皮膚の一部分と前記ヘッド部の外表面の一部分との間に十分な漏出流路を形成し、該漏出経路を介して、患者に供給された過剰な吸入ガスの排出を促進し、かつ患者に供給される吸入ガス以上に必要とされる大気の吸入を促進する一方で、患者の一方の鼻腔内にぴったりと受容及び保持されるような大きさになっている、
ことを特徴とする吸入療法システム。
【請求項２１】
前記吸入ガスを患者に供給する前に該吸入ガスを所望の温度に加熱するためのヒータを更に備えていることを特徴とする、請求項２０に記載の吸入療法システム。
【請求項２２】
前記吸入ガスを患者に供給する前に該吸入ガスに湿気を供給するための加湿器を更に備えていることを特徴とする、請求項２０に記載の吸入療法システム。
【請求項２３】
前記吸入ガスを患者に供給する前に該吸入ガスを所望の温度に加熱するためのヒータを更に備え、かつ前記吸入ガスを患者に供給する前に該吸入ガスに湿気を供給するための加湿器を更に備えていることを特徴とする、請求項２０に記載の吸入療法システム。
【請求項２４】
前記吸入ガスの湿度及び温度に関する入力を供給するために、湿度センサ及び温度センサがコントローラに接続されており、患者に供給する前に前記吸入ガスの温度及び湿度を制御するために、前記加湿器及び前記ヒータの動作を前記コントローラが制御することを特徴とする、請求項２３に記載の吸入療法システム。
【請求項２５】
前記吸入療法システムが、約７０パーセントから１００パーセントの相対湿度及び約８０°Ｆ（２６．６℃）から約９０°Ｆ（３２．２℃）の温度で前記吸入ガスを供給することを特徴とする、請求項２４に記載の吸入療法システム。
【請求項２６】
前記吸入療法システムが、該吸入療法システムの動作中に毎分約２６から６０リットルの一定の流量の吸入ガスを供給することを特徴とする、請求項２０に記載の吸入療法システム。
【請求項２７】
前記吸入療法システムが、該吸入療法システムの動作中における前記吸入ガスの使用の維持を容易にする吸入ガス計測装置を更に備えていることを特徴とする、請求項２０に記載の吸入療法システム。
【請求項２８】
前記吸入ガスが前記吸入ガス源から鼻カニューレへと流れる際に、前記吸入ガスが発生する騒音を最小化するように、前記吸入ガス供給ライン及び前記鼻カニューレは、それぞれに沿って徐々に屈曲、変化、拡大、縮小していることを特徴とする、請求項２０に記載の吸入療法システム。
【請求項２９】
患者の鼻腔圧を測定するための診断器具であって、
該診断器具は鼻カニューレを備え、該鼻カニューレは、
それぞれが一端に吸入ガスを放出する放出口を備えたヘッド部を有する１組の供給ラインであって、１組の供給ラインのそれぞれの他端が吸入ガス源に接続可能であり、
各ヘッド部は、患者の内側を向いている鼻腔の皮膚の一部分と前記ヘッド部の外表面の一部分との間に十分な漏出流路を形成し、該漏出経路を介して、患者に供給された過剰な吸入ガスの排出を促進し、かつ患者に供給される吸入ガス以上に必要とされる大気の吸入を促進する一方で、患者の一方の鼻腔内にぴったりと受容及び保持されるような大きさになっている１組の供給ラインと、
各ヘッド部に組み合わされた圧力検知プローブであって、該圧力検知プローブのそれぞ
れが圧力値を供給するために圧力検知装置に連結されている圧力検知プローブと、
を備えることを特徴とする診断器具。
【請求項３０】
前記圧力検知プローブのそれぞれが、１つの共通の圧力検知装置に連結されていることを特徴とする、請求項２９に記載の診断器具。
【請求項３１】
前記圧力検知プローブのそれぞれが、別々の圧力検知装置に連結されていることを特徴とする、請求項２９に記載の診断器具。
【請求項３２】
前記圧力検知装置が、トランスデューサであることを特徴とする、請求項２９に記載の診断器具。
【請求項３３】
前記ヘッド部の吸入ガス放出口に対する圧力検知プローブの露出部分の長さを確定するため、前記圧力検知プローブのそれぞれが前記ヘッド部に永続的に固定されていることを特徴とする、請求項２９に記載の診断器具。
【請求項３４】
前記ヘッド部の吸入ガス放出口に対する圧力検知プローブの露出部分の長さを調整できるようにするため、前記圧力検知プローブのそれぞれが前記ヘッド部に調整可能に固定されていることを特徴とする、請求項２９に記載の診断器具。
【請求項３５】
前記圧力検知プローブのそれぞれが、前記ヘッド部のうちの１つの内部空間を貫通していることを特徴とする、請求項２９に記載の診断器具。
【請求項３６】
患者の鼻腔圧を測定するための診断器具の使用方法であって、
前記診断器具は、鼻カニューレを備え、該鼻カニューレは、
それぞれが一端に吸入ガスを放出する放出口を備えたヘッド部を有する１組の供給ラインであって、１組の供給ラインのそれぞれの他端が吸入ガス源に接続可能であり、
各ヘッド部は、患者の内側を向いている鼻腔の皮膚の一部分と前記ヘッド部の外表面の一部分との間に十分な漏出流路を形成し、該漏出経路を介して、患者に供給された過剰な吸入ガスの排出を促進し、かつ患者に供給される吸入ガス以上に必要とされる大気の吸入を促進する一方で、患者の一方の鼻腔内にぴったりと受容及び保持されるような大きさになっている１組の供給ラインと、
各ヘッド部に組み合わされた圧力検知プローブであって、該圧力検知プローブのそれぞれが圧力値を供給するために圧力検知装置に連結されている圧力検知プローブと、
を備え、
前記方法は、
患者が眠ることを許可するステップと、
吸入ガスが第一の流量で患者に供給されている間、前記診断器具を装着した睡眠中の患者を監視するステップと、
前記圧力検知プローブを介して前記患者の鼻腔内の圧力を測定するステップと、
前記患者が睡眠中に一定の呼吸をするように、前記患者の気道内に所望の背圧を生じさせる最適な吸入ガス流量が得られるまで、前記吸入ガスの流量を調整するステップと、を含む使用方法。